【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
治療部位で組織を治療するための高密度焦点式超音波（ＨＩＦＵ）システムであって、
治療部位にＨＩＦＵ信号を送達するためのＨＩＦＵ変換器および制御装置と、
後方散乱信号を受信するための受信機と、
該治療部位へのＨＩＦＵ信号の送達に起因する該後方散乱信号の変化を検出するようにプログラムされるプロセッサであって、該プロセッサは、該後方散乱信号において検出された変化に基づいて、該治療部位へのＨＩＦＵ信号の送達を制御するために使用されるフィードバック制御信号を生成するようにプログラムされる、プロセッサと
を備えている、システム。
【請求項２】
前記プロセッサは、前記ＨＩＦＵ変換器に向かう前記後方散乱信号の前縁の動きを検出するようにプログラムされる、請求項１に記載のシステム。
【請求項３】
前記プロセッサは、前記後方散乱信号中の周波数構成要素の角度分布における変化を検出するようにプログラムされる、請求項１に記載のシステム。
【請求項４】
前記プロセッサは、前記後方散乱信号から、前記治療部位での組織の減衰における変化を検出するようにプログラムされる、請求項１に記載のシステム。
【請求項５】
前記プロセッサは、前記後方散乱信号の特性を飽和させるために必要な出力レベルにおける変化を検出するようにプログラムされる、請求項１に記載のシステム。
【請求項６】
前記プロセッサは、前記後方散乱信号の累積エネルギー分布関数における変化を検出するようにプログラムされる、請求項１に記載のシステム。
【請求項７】
前記プロセッサは、前記後方散乱信号における変動を強調するように該後方散乱信号を処理するようにプログラムされる、請求項１に記載のシステム。
【請求項８】
前記プロセッサは、いくつかの個々の後方散乱信号から平均後方散乱信号を生成するようにプログラムされ、該平均後方散乱信号は、該個々の後方散乱信号内の振幅の変動を示す深度を強調するように重み付けられる、請求項１に記載のシステム。
【請求項９】
前記個々の後方散乱信号は、より大きなエネルギーを有する個々の後方散乱信号を強調するように重み付けられる、請求項８に記載のシステム。
【請求項１０】
基本的な治療容積の周囲で前記ＨＩＦＵ変換器の治療域を操縦する機構をさらに備え、前記プロセッサは、該治療域が該基本的な治療容積の周囲に沿って移動させられるときに、後方散乱信号を監視するようにプログラムされる、請求項１に記載のシステム。
【請求項１１】
前記プロセッサは、前記ＨＩＦＵ制御装置に前記フィードバック制御信号を供給して、ＨＩＦＵ治療を修正するようにプログラムされる、請求項１に記載のシステム。
【請求項１２】
前記プロセッサは、医師によって認知することができる警報に、前記フィードバック制御信号を供給するようにプログラムされる、請求項１に記載のシステム。
【請求項１３】
前記後方散乱信号は、前記治療部位に送達される前記ＨＩＦＵ信号に応答して作成される信号である、請求項１に記載のシステム。
【請求項１４】
前記治療部位に呼びかけ信号を送達するための変換器をさらに備え、前記後方散乱信号は、該治療部位に送達される該呼びかけ信号に応答して作成される信号である、請求項１に記載のシステム。
【請求項１５】
治療部位で組織を治療するための高密度焦点式超音波（ＨＩＦＵ）システムであって、
治療部位にＨＩＦＵ信号を送達するためのＨＩＦＵ変換器および制御装置と、
該送達されたＨＩＦＵ信号または呼びかけ信号の結果として作成される後方散乱信号を受信するための撮像変換器および受信機と、
該ＨＩＦＵ信号が該治療部位に送達されるときに、該ＨＩＦＵ変換器に向かう該後方散乱信号の画像の動きを検出するようにプログラムされるプロセッサであって、該プロセッサは、該後方散乱信号の該検出された動きに基づいて、該治療部位へのＨＩＦＵ信号の送達を制御するために使用されるフィードバック制御信号を生成するようにプログラムされる、プロセッサと
を備えている、システム。
【手続補正２】
【補正対象書類名】明細書
【補正対象項目名】００１８
【補正方法】変更
【補正の内容】
【００１８】
本発明は、例えば、以下の項目も提供する。
（項目１）
治療部位で組織を治療するための高密度焦点式超音波（ＨＩＦＵ）システムであって、
治療部位にＨＩＦＵ信号を送達するためのＨＩＦＵ変換器および制御装置と、
後方散乱信号を受信するための受信機と、
該治療部位へのＨＩＦＵ信号の送達に起因する該後方散乱信号の変化を検出するようにプログラムされるプロセッサであって、該プロセッサは、該後方散乱信号において検出された変化に基づいて、該治療部位へのＨＩＦＵ信号の送達を制御するために使用されるフィードバック制御信号を生成するようにプログラムされる、プロセッサと
を備えている、システム。
（項目２）
前記プロセッサは、前記ＨＩＦＵ変換器に向かう前記後方散乱信号の前縁の動きを検出するようにプログラムされる、項目１に記載のシステム。
（項目３）
前記プロセッサは、前記後方散乱信号中の周波数構成要素の角度分布における変化を検出するようにプログラムされる、項目１に記載のシステム。
（項目４）
前記プロセッサは、前記後方散乱信号から、前記治療部位での組織の減衰における変化を検出するようにプログラムされる、項目１に記載のシステム。
（項目５）
前記プロセッサは、前記後方散乱信号の特性を飽和させるために必要な出力レベルにおける変化を検出するようにプログラムされる、項目１に記載のシステム。
（項目６）
前記プロセッサは、前記後方散乱信号の累積エネルギー分布関数における変化を検出するようにプログラムされる、項目１に記載のシステム。
（項目７）
前記プロセッサは、前記後方散乱信号における変動を強調するように該後方散乱信号を処理するようにプログラムされる、項目１に記載のシステム。
（項目８）
前記プロセッサは、いくつかの個々の後方散乱信号から平均後方散乱信号を生成するようにプログラムされ、該平均後方散乱信号は、該個々の後方散乱信号内の振幅の変動を示す深度を強調するように重み付けられる、項目１に記載のシステム。
（項目９）
前記個々の後方散乱信号は、より大きなエネルギーを有する個々の後方散乱信号を強調するように重み付けられる、項目８に記載のシステム。
（項目１０）
基本的な治療容積の周囲で前記ＨＩＦＵ変換器の治療域を操縦する機構をさらに備え、前記プロセッサは、該治療域が該基本的な治療容積の周囲に沿って移動させられるときに、後方散乱信号を監視するようにプログラムされる、項目１に記載のシステム。
（項目１１）
前記プロセッサは、前記ＨＩＦＵ制御装置に前記フィードバック制御信号を供給して、ＨＩＦＵ治療を修正するようにプログラムされる、項目１に記載のシステム。
（項目１２）
前記プロセッサは、医師によって認知することができる警報に、前記フィードバック制御信号を供給するようにプログラムされる、項目１に記載のシステム。
（項目１３）
前記後方散乱信号は、前記治療部位に送達される前記ＨＩＦＵ信号に応答して作成される信号である、項目１に記載のシステム。
（項目１４）
前記治療部位に呼びかけ信号を送達するための変換器をさらに備え、前記後方散乱信号は、該治療部位に送達される該呼びかけ信号に応答して作成される信号である、項目１に記載のシステム。
（項目１５）
治療部位で組織を治療するための高密度焦点式超音波（ＨＩＦＵ）システムであって、
治療部位にＨＩＦＵ信号を送達するためのＨＩＦＵ変換器および制御装置と、
該送達されたＨＩＦＵ信号または呼びかけ信号の結果として作成される後方散乱信号を受信するための撮像変換器および受信機と、
該ＨＩＦＵ信号が該治療部位に送達されるときに、該ＨＩＦＵ変換器に向かう該後方散乱信号の画像の動きを検出するようにプログラムされるプロセッサであって、該プロセッサは、該後方散乱信号の該検出された動きに基づいて、該治療部位へのＨＩＦＵ信号の送達を制御するために使用されるフィードバック制御信号を生成するようにプログラムされる、プロセッサと
を備えている、システム。
（項目１６）
高密度焦点式超音波（ＨＩＦＵ）信号で組織を治療する方法であって、
該治療部位にＨＩＦＵ信号を送達するステップと、
後方散乱信号を受信するステップと、
該治療部位へのＨＩＦＵ信号の送達に起因する、該後方散乱信号の変化を検出するステップと
を含み、該プロセッサは、該後方散乱信号の該検出された変化に基づいて、該治療域へのＨＩＦＵ信号の送達を制御するために使用されるフィードバック制御信号を生成するようにプログラムされる、
方法。
以下の発明を実施するための形態でさらに記載される簡略化した形態で、概念の選択を紹介するために、本要約を提供する。本要約は、請求の対象内容の重要な特徴を同定するものではなく、また請求の対象内容の範囲を決定する補助として使用されるものではない。